(57)【要約】      （修正有）【課題】消費電力を増加させることなく充電ケーブルの取っ手部を冷却することができる車両用バッテリの充電装置を提供する。【解決手段】充電コネクタ６１を筒状に包囲することにより内周面６３ｂと外周面６１ｂとの間に環状通路６３ｆを形成し、制御部がファンを回転させることにより、環状通路６３ｆの他端６３ｇから環状通路６３ｆ内に外気が導入されることにより、消費電力を増加させることなく、充電ケーブルの取っ手部６３を冷却することができる。【選択図】図３
2019187141.tif 000002
【特許請求の範囲】
【請求項１】
車両の電動機に電力を供給するバッテリと、
前記車両の外部から前記バッテリに充電電力を供給するために設けられた充電インレットと、
前記バッテリを冷却するためのファンと、
を前記車両に備えるとともに、
前記充電電力を供給するための電気ケーブルと、
前記充電インレットと前記電気ケーブルとを電気的に接続させるための充電コネクタと、
前記充電コネクタの外周部に形成され、前記充電コネクタの前記充電インレットとの挿抜のために用いられる取っ手部と、
を含む充電ケーブルを備えた、
車両用バッテリの充電装置であって、
前記充電コネクタが前記充電インレットに接続されると、前記充電電力の外部からの供給を許可するとともに、前記ファンを回転させる制御部と、
一端が、前記ファンが格納されたファンシュラウドに接続され、他端が前記充電インレットの周囲に延出して前記車両の外部に開口する通風管と、を前記車両に更に備え、
前記取っ手部は、前記充電コネクタの外周面とは離間して前記充電コネクタを筒状に包囲することにより、前記取っ手部の内周面と前記充電コネクタの外周面との間に環状通路が形成され、
前記環状通路の一端は、前記充電コネクタの前記充電インレットと接続する側において開口しており、
前記環状通路の他端は、前記充電コネクタの前記充電インレットと接続する側とは反対側において開口しており、
前記充電コネクタが前記充電インレットに接続されたとき、前記通風管と前記環状通路とが連通し、
前記制御部が前記ファンを回転させることにより、前記環状通路の他端から前記環状通路内に外気が導入されるように構成された、
充電装置。
【発明の詳細な説明】
【技術分野】
【０００１】
本発明は、充電ケーブルを用いて外部から電力を供給することにより車両のバッテリを充電する車両用バッテリの充電装置に関する。
【背景技術】
【０００２】
近年、プラグインハイブリッド車両及び電気自動車等のバッテリを充電する充電システムにおいて、充電時間短縮の要請のため、単位時間当たりの供給電力量が増加してきている。その結果、充電ケーブルの発熱量が増加し、使用者が充電ケーブルを取り扱うことが困難となる虞がある。そこで、従来の充電ケーブルの一つ（以下、「従来ケーブル」と称呼する。）は、その内部に冷却水を流通させるための冷却管が挿通され、冷却水を冷却する装置とともに用いられていた（例えば、特許文献１を参照。）。
【先行技術文献】
【特許文献】
【０００３】
【特許文献１】特許６２０１０７１号（図３）
【発明の概要】
【０００４】
ところで、充電ケーブルのコネクタ部の周囲には、使用者が取っ手として握ることができるような形状に成形された取っ手部分が備えられる。これにより、使用者は車両の充電インレットに充電ケーブルを容易に接続することができる。しかし、従来ケーブルは、ケーブル部分を冷却水によって冷却しているが、接触電気抵抗が高いために発熱量が比較的大きくなる端子部（充電インレットとの接続部）は冷却していない。そのため、単位時間当たりの供給電力量が大きくされたとき、端子部の熱が取っ手部分に伝わることにより取っ手部分の温度が端子部の温度上昇とともに上昇する。その結果、使用者が取っ手部分を握ることが困難となる虞がある。そこで、取っ手部分を冷却するために、例えば取っ手部分にも冷却配管を挿通する方法が考えられるが、この方法によれば、取っ手部分を更に冷却する必要があるため、消費電力が増加するという問題がある。
【０００５】
本発明は上記問題に対処するために為されたものである。即ち、本発明の目的の一つは、消費電力を増加させることなく取っ手部分を冷却することができる車両用バッテリの充電装置を提供することにある。
【０００６】
本発明の車両用バッテリの充電装置（以下、「本発明装置」とも称呼する。）は、
バッテリ（３０）と、充電インレット（２０）と、ファン（４３）と、を車両（１０）に備える。
【０００７】
前記バッテリは、前記車両の電動機（３６）に電力を供給する。前記充電インレットは、前記車両の外部から前記バッテリに充電電力を供給するために設けられる。前記ファンは、前記バッテリを冷却するために設けられている。
【０００８】
更に、本発明装置は、充電ケーブル（６０）を備えている。前記充電ケーブルは、電気ケーブル（６２）と、充電コネクタ（６１）と、取っ手部（６３）と、を含んでいる。前記電気ケーブルは、前記充電電力を供給する。前記充電コネクタは、前記充電インレットと前記電気ケーブルとを電気的に接続させる。前記取っ手部は、前記充電コネクタの外周部に形成され、前記充電コネクタの前記充電インレットとの挿抜のために用いられる。
【０００９】
加えて、本発明装置は、制御部（５０）と、通風管（４５）と、を前記車両に更に備える。前記制御部は、前記充電コネクタが前記充電インレットに接続されると、前記充電電力の外部からの供給を許可するとともに、前記ファンを回転させる。前記通風管は、一端（４５ａ）が、前記ファンが格納されたファンシュラウド（４２）に接続され、他端（４５ｂ）が前記充電インレットの周囲に延出して前記車両の外部に開口する。
【００１０】
前記取っ手部は、前記充電コネクタの外周面（６１ｂ）とは離間して前記充電コネクタを筒状に包囲することにより、前記取っ手部の内周面（６３ｂ）と前記充電コネクタの外周面（６１ｂ）との間に環状通路（６３ｆ）が形成される。前記環状通路の一端（６３ｈ）は、前記充電コネクタの前記充電インレットと接続する側において開口しており、前記環状通路の他端（６５）は、前記充電コネクタの前記充電インレットと接続する側とは反対側において開口している。前記充電コネクタが前記充電インレットに接続されたとき、前記通風管と前記環状通路とが連通し、前記制御部が前記ファンを回転させることにより、前記環状通路の他端から前記環状通路内に外気が導入されるように構成されている。
【００１１】
この態様によれば、充電コネクタと取っ手部との間には空間（環状通路）が形成されているので、電気ケーブルからの熱が取っ手部に直接伝導されにくい構造となっている。更に、バッテリの充電時には、ファンが回転することにより環状通路の他端（充電インレットと接続する側とは反対側）から環状通路内に外気が導入されるので、外気が冷媒の役割を果たし、その結果、取っ手部が冷却され易くなる。本発明装置は、上記ファンがバッテリの充電時にバッテリを冷却するために作動することを利用して取っ手部を冷却しているので、取っ手部の冷却のために新たな電力を必要とはしない。従って、本発明装置によれば、消費電力を増加させることなく、取っ手部を冷却することができる。
【００１２】
上記説明においては、本発明の理解を助けるために、後述する実施形態に対応する発明の構成に対し、その実施形態で用いた名称及び／又は符号を括弧書きで添えている。しかしながら、本発明の各構成要素は、前記名称及び／又は符号によって規定される実施形態に限定されるものではない。
【図面の簡単な説明】
【００１３】
【図１】図１は、本発明の実施形態に係る車両用バッテリの充電装置及び当該充電装置が適用される車両の概略構成図である。
【図２】図２は、図１に示した充電インレットの端部の正面視における概略構成図である。
【図３】図３は、図１に示した充電ケーブルの端部の正面視における概略構成図である。
【図４】図４は、図１に示した充電インレット及び充電インレットに接続された充電ケーブルの側面図である。
【図５】図５は、図１に示した充電ケーブルの取っ手部の充電コネクタの端子と反対側の端部における正面図及び上面断面図である。
【図６】図６は、図１に示した充電ケーブルの取っ手部の充電コネクタの端子と反対側の端部における上面断面図である。
【図７】図７は、図１に示した充電ケーブルの取っ手部の流体解析モデルの斜視図である。
【図８】図８は、「プロペラ翼構造」を採用した実施装置の取っ手部の流体解析結果を示した図である。
【図９】図９は、「全面開口構造」を採用した変形装置の取っ手部の流体解析結果を示した図である。
【発明を実施するための形態】
【００１４】
（構成）
本発明の実施形態に係る車両用バッテリの充電装置（以下、「実施装置」とも称呼される。）は、図１に示したプラグインハイブリッド車両１０（以下、単に「車両」とも称呼する。）に適用される。
【００１５】
車両１０は、充電インレット２０、バッテリ３０、正極側充電リレー３１、負極側充電リレー３２、正極側システムメインリレー３３、負極側システムメインリレー３４、パワーコントロールユニット（ＰＣＵ）３５、電動機（ＭＧ）３６、冷却機構４０及び電子制御装置（ＥＣＵ）５０及び図示しない内燃機関を備えている。実施装置は、更に、車両１０の外部に充電ケーブル６０を備えている。
【００１６】
充電インレット２０は、車両１０の車体１１の側面に備えられる。充電インレット２０にはバッテリ３０への充電が行われるとき、充電ケーブル６０が接続される。
【００１７】
より具体的に述べると、充電インレット２０は、電力線Ｈｏｔと接続された陽極端子（ＤＣＩＨ端子）、電力線Ｃｏｌｄと接続された陰極端子（ＤＣＩＣ端子）及びＥＣＵ５０と接続されたＣＡＮ端子（ＣＡＮ−Ｈ及びＣＡＮ−Ｌ）を備えている。図２に示したように、充電インレット２０は、更に、充電開始／停止信号用のＤＣＳ端子（ＤＣＳ１及びＤＣＳ２）、充電許可／禁止信号用のＤＣＰ端子及びコネクタ接続確認信号用のＤＣＣ端子等を備えている。なお、ＤＣＳ端子、ＤＣＰ端子及びＤＣＣ端子はＥＣＵ５０に電気的に接続されている。
【００１８】
充電インレット２０のＤＣＩＨ端子及びＤＣＩＣ端子のそれぞれは、充電ケーブル６０を介して図示しない急速充電スタンドの電力線と接続される。ＤＣＳ端子、ＤＣＰ端子、ＤＣＣ端子及びＣＡＮ端子（ＣＡＮ−Ｈ及びＣＡＮ−Ｌ）は、充電ケーブル６０を介して急速充電スタンドの制御部と接続される。なお、充電インレット２０は、図示しない温度センサを内蔵し、ＥＣＵ５０に充電インレット２０の温度を表す信号を送信するようになっている。
【００１９】
再び図１を参照して説明する。バッテリ３０は、充放電が可能な二次電池（リチウムイオン電池）である。バッテリ３０は、正極（正極端子）と負極（負極端子）との間に端子間電圧Ｖｂ０（例えば、３５０Ｖ）を発生する。なお、バッテリ３０は、ニッケル水素電池、鉛バッテリ、ニッケルカドミウム電池及び他の二次電池であってもよい。
【００２０】
正極側充電リレー（以下、「ＤＣＲＢ」とも称呼する。）３１は、充電インレット２０と「電力線Ｈｏｔと電力線ＰＬとの接続点Ｃ１」との間において電力線Ｈｏｔに介装されている。正極側システムメインリレー（以下、「ＳＭＲＢ」とも称呼する。）３３は、接続点Ｃ１とバッテリ３０の正極端子との間において電力線Ｈｏｔに介装されている。負極側充電リレー（以下、「ＤＣＲＧ」とも称呼する。）３２は、充電インレット２０と「電力線Ｃｏｌｄと電力線ＮＬとの接続点Ｃ２」との間において電力線Ｃｏｌｄに改装されている。負極側システムメインリレー（以下、「ＳＭＲＧ」とも称呼する。）３４は、接続点Ｃ２とバッテリ３０の負極端子との間において電力線Ｃｏｌｄに介装されている。
【００２１】
このように、ＤＣＲＢ３１及びＤＣＲＧ３２は、バッテリ３０と充電インレット２０とを結ぶ充電経路中に介装されており、この充電経路の導通状態と遮断状態とを切替え可能である。ＳＭＲＢ３３及びＳＭＲＧ３４は、バッテリ３０と充電インレット２０とを結ぶ充電経路中に介装されており、この充電経路の導通状態と遮断状態とを切替え可能である。
【００２２】
電力線ＰＬは、接続点Ｃ１とパワーコントロールユニット（以下、「ＰＣＵ」と称呼する。）３５の一方の入力端子とを接続している。電力線ＮＬは、接続点Ｃ２とＰＣＵ３５の他方の入力端子とを接続している。
【００２３】
ＰＣＵ３５は、昇降圧コンバータ及びインバータを含み、バッテリ３０の出力する直流電圧を昇圧し、更に、その昇圧された直流電力を三相交流電力へと変換して発電電動機（ＭＧ）３６へ出力する。一方、ＰＣＵ３５は、ＭＧ３６が発電し出力する三相交流電力を直流電力に変換し、その変換された直流電圧を降圧してバッテリ３０へ出力する。
【００２４】
発電電動機（ＭＧ）３６は、ＰＣＵ３５から供給される三相交流電力によって車両１０の車輪を駆動するためのトルクを発生させる。
【００２５】
冷却機構４０は、ラジエータ４１、ファンシュラウド４２、ファン４３、ファンモータ４４及び通風管４５を備える。
【００２６】
ラジエータ４１は、車体１１の前部に配設される。ラジエータ４１は、内燃機関を冷却するための冷却水を車体前部から導入される空気によって冷却する。
【００２７】
ファンシュラウド４２は、ラジエータ４１の背部（ラジエータ４１よりも車体１１の後方側）に配設され、ラジエータ４１の背部を覆っている。ファンシュラウド４２の略中央には、ファン４３の先端からの気流の巻き返しを防ぐため、ファン４３の先端との間に僅かな空隙が画成されるようファン４３の直径より僅かに大きい直径の孔４２ａが開口している。ファンシュラウド４２の端部は、通風管４５が接続されるための孔４２ｂが開口している。
【００２８】
ファン４３は、ファンシュラウド４２の略中央の開口（孔４２ａ）内に、ファン４３の回転軸を中心に回転可能に配設される。ファン４３は、バッテリ３０と対向して配設されている。
【００２９】
ファンモータ４４は、ファン４３を回転駆動させるモータである。ファンモータ４４の出力軸はファン４３の回転軸と連結し、ファン４３と一体回転可能に構成されている。
【００３０】
通風管４５は、その一端４５ａが、開口しているファンシュラウド４２の端部の孔４２ｂと接続され、その他端（以下、「端部」とも称呼される。）４５ｂが、充電インレット２０の周辺に延出している。従って、通風管４５は、ファンシュラウド４２の内部と車体１１の外部とを連通している。図２に示したように、通風管４５の端部４５ｂは、充電インレット２０の周囲に形成され、通風管４５の端部４５ｂと充電インレット２０との間Ｓ１は円環状に開口している。通風管４５の端部４５ｂに近い通風管４５の内部には、充電インレット２０を固定するための網状の板４６が取り付けられる。網状の板４６は、抵抗なく空気を通すことができるように各格子内が中空となっている。
【００３１】
電子制御装置（ＥＣＵ）５０は、周知のマイクロコンピュータを含む電子回路であり、ＣＰＵ、ＲＯＭ、ＲＡＭ及びインタフェースＩ／Ｆ等を含む。ＥＣＵはエレクトロニックコントロールユニットの略称である。ＣＰＵは、メモリ（ＲＯＭ）に格納されたインストラクション（ルーチン）を実行することにより後述する各種機能を実現する。
【００３２】
ＥＣＵ５０は、バッテリ３０、ＤＣＲＢ３１、ＤＣＲＧ３２、ＳＭＲＢ３３、ＳＭＲＧ３４、ＰＣＵ３５、充電インレット２０内の温度センサ及び冷却機構４０のファンモータ４４等と電気的に接続されている。
【００３３】
ＥＣＵ５０からの指示によりファンモータ４４が作動すると、ファン４３は、ファンシュラウド４２の内部（ラジエータ４１側）から外部（バッテリ３０側）へと空気を流す向きに回転する。従って、ファン４３が回転すると、バッテリ３０はファン４３が発生した冷却風を受けて冷却されるようになっている。ファン４３が回転すると、ファンシュラウド４２の内部からファン４３を経由して外部へと空気が流れるので、ファンシュラウド４２の内部の気圧が低下し、外気圧よりも気圧が低くなる（負圧が発生する）。その結果、通風管４５の端部４５ｂ（充電インレット２０の周辺）において、通風管４５内に外気が導入されるようになっている。
【００３４】
図３に示したように、充電ケーブル６０は、充電コネクタ６１、電気ケーブル６２及び取っ手部６３を備える。
【００３５】
充電コネクタ６１は樹脂でできている。充電コネクタ６１は、図４に示したように、充電インレット２０と嵌合する端部６１ａに、ＤＣＩＨ端子、ＤＣＩＣ端子、ＤＣＳ端子（ＤＣＳ１及びＤＣＳ２）、ＤＣＰ端子、ＤＣＣ端子及びＣＡＮ通信用端子（ＣＡＮ−Ｈ及びＣＡＮ−Ｌ）等を備えている。これらの端子は、充電コネクタ６１が充電インレット２０と嵌合したとき、充電インレット２０の対応する端子（図２を参照。）にそれぞれ接続される。
【００３６】
電気ケーブル６２は、充電コネクタ６１と急速充電スタンドとの間を電気的に接続する。従って、バッテリ３０を車両１０の外部からの電力により充電するとき、充電コネクタ６１が充電インレット２０に挿入（接続）されると、急速充電スタンドと充電インレット２０とが電気的に接続される。
【００３７】
図３に示したように、取っ手部６３は、充電コネクタ６１の周囲（外周部）に、充電コネクタ６１の外周面６１ｂとは離間して、充電コネクタ６１を包囲するように配設される。取っ手部６３は、樹脂でできている。
【００３８】
充電コネクタ６１が充電インレット２０に挿入（接続）されたときに充電インレット２０に近い側に位置する端部（充電ケーブル６０の終端側の端部）６３ａは、図４に示したように、円環状に形成されている。円環状に形成された端部６３ａは、以下、「取っ手端部」６３ａと称呼される。
【００３９】
取っ手端部６３ａの外径は、通風管４５の端部４５ｂの内径と略同径であり、取っ手端部６３ａは、充電コネクタ６１が充電インレット２０に挿入（接続）されたとき、通風管４５の端部４５ｂに挿入（接続）される。より具体的に述べると、図３に示したように、取っ手端部６３ａは、通風管４５の端部４５ｂと継ぎ手のように嵌合するようになっている。
【００４０】
図４に示したように、取っ手部６３の内周面６３ｂには、取っ手端部６３ａに近い位置において、半径方向内側に突出する柱６３ｃが円周方向に等間隔に形成されている。更に、上記等間隔に形成された複数の柱６３ｃの先端の総てに接する一つの円環体６３ｄが形成されている。本例において、複数の柱６３ｃの本数は４本であり、円周方向に９０°毎に配置されている。円環体６３ｄの内径は充電コネクタ６１の外周面６１ｂの外径と等しく設定される。この円環体６３ｄの内周面６３ｅと、充電コネクタ６１の外周面６１ｂとが当接することにより、取っ手部６３と充電コネクタ６１とが互いに固定される。
【００４１】
このようにして、充電コネクタ６１と取っ手部６３との間には空気が流通する円環状の空間６３ｆが形成される（図３を参照。）。この円環状の空間６３ｆは、以下、「環状通路６３ｆ」と称呼される。取っ手端部６３ａ側において、環状通路６３ｆの一端６３ｈは、円環状に開口している（図４を参照。）。このように、充電コネクタ６１は、電力及び電気信号を中継するための管であり、取っ手部６３の環状通路６３ｆは、空気を流通させるための管である。つまり、これらの２つの管は略同軸の二重管構造になっている。
【００４２】
取っ手部６３の他端（電気ケーブル６２に近い側の端部）６３ｇは、充電コネクタ６１（電気ケーブル６２）の周囲に円環状に形成されている。取っ手部６３の他端６３ｇと、充電コネクタ６１の外周面６１ｂとの間は、円周方向に等間隔に配列した複数の壁６４が設けられている。より具体的に述べると、図５に示したように、複数の壁６４は、６枚の羽根を有するプロペラ状に配列される。複数の壁６４は、充電コネクタ６１の中心軸Ｘ１方向と垂直な面Ｖ１に対し、２０°傾けた壁６４を円周方向に等間隔に６枚設けることにより構成される（図５（Ｂ）を参照。）。充電コネクタ６１の中心軸Ｘ１方向から見て、複数の壁６４は、６０°毎に配置される（図５（Ａ）を参照。）。
【００４３】
これにより、取っ手部６３の他端６３ｇ側において、環状通路６３ｆの他端には取っ手部６３の内周面６３ｂ、充電コネクタ６１の外周面６１ｂ及び隣り合う２つの壁６４のそれぞれの端部６４ａ及び６４ｂにより画成される矩形の孔６５が開口している。矩形の孔６５は、円周方向に６０°おきに６ヶ所開口している。矩形の孔６５の開口面（隣り合う壁６４のそれぞれの端部６４ａ及び６４ｂを含む面）は、充電コネクタ６１の中心軸Ｘ１を通る平面と一致している。従って、矩形の孔６５が開口する向きは、充電コネクタ６１の中心軸Ｘ１を通る平面の法線方向（図５（Ｂ）において面Ｖ１を表す一点鎖線と同方向）である。矩形の孔６５は、正面視にて時計回りの方向に開口している（図５を参照。）。なお、矩形の孔６５には、それぞれ異物侵入防止用のフィルタ６６が取り付けられている。異物侵入防止用のフィルタ６６は周知の多孔質フィルタである。
【００４４】
（作動）
このように構成された実施装置において、充電コネクタ６１が充電インレット２０に挿入（接続）されると、ＥＣＵ５０は自動的に急速充電スタンドと情報交換を行う。より具体的に述べると、充電コネクタ６１が充電インレットに挿入（接続）されたとき、ＥＣＵ５０は、急速充電器に充電許可信号を送信する。その後、ＥＣＵ５０は、ＥＣＵ５０からの充電許可信号を受信した急速充電スタンドが発生した充電許可信号を受信すると、ＤＣＲＢ３１、ＤＣＲＧ３２、ＳＭＲＢ３３及びＳＭＲＧ３４を導通状態とする信号をＤＣＲＢ３１、ＤＣＲＧ３２、ＳＭＲＢ３３及びＳＭＲＧ３４に送信する。更に、ＥＣＵ５０は、ファンモータ４４を駆動状態とする信号をファンモータ４４に送信する。これにより、バッテリ３０への急速充電が開始される。
【００４５】
従って、急速充電が開始されると、ファン４３が作動（回転）して、矩形の孔６５から取っ手部６３の内部に外気が導入される。前述したように、矩形の孔６５は正面視にて時計回りの方向に開口しているので、外気は、図６に矢印にて表したように、時計回りと反対向きに矩形の孔６５に流入する。外気は壁６４に沿って取っ手部６３の内部に流れ込み、図３に示したように、取っ手部６３の内部において、らせん状の気流を生じさせる。
【００４６】
（効果の説明）
次に、このらせん状の気流による取っ手部６３の内周面６３ｂ及び充電コネクタ６１の外周面６１ｂの冷却効果を説明する。
【００４７】
発明者は、取っ手部６３の端部６３ｇが、複数の壁６４により構成された構造（以下、「プロペラ翼構造」と称呼する。）を有する実施装置の冷却効果を検証するため、以下のモデルを用いて流体解析を行った。
【００４８】
流体解析に用いた取っ手部６３及び充電コネクタ６１の形状が図７に示される。充電コネクタ６１及び電気ケーブル６２の外径Ｄ１は５０ｍｍに設定される。取っ手部６３の端部６３ｇにおける内径Ｄ２は９０ｍｍに設定される。取っ手端部６３ａにおける内径Ｄ３は１３０ｍｍに設定される。プロペラ翼構造における複数の壁６４の半径方向の長さＬ１は２０ｍｍに設定され、複数の壁６４の厚さは２ｍｍに設定される。これにより、矩形の孔６５の大きさは長辺が２０ｍｍ、短辺が７．５ｍｍに設定される。
【００４９】
実施装置において、充電コネクタ６１を充電インレット２０に挿入（接続）し、ファン４３が作動している状態における環状通路６３ｆ内の空気の流速分布が図８に示される。
図８において、気流は描画の濃度が低い（薄い）線にて表現されている。図８から理解されるように、環状通路６３ｆにおいてらせん状の気流が多く発生し、これらの気流が通風管４５に向かって流れ込んでいる。
【００５０】
以上、説明したように、実施装置は、充電コネクタ６１が充電インレット２０に接続されると、充電電力の外部からの供給を許可するとともに、ファンを回転させる制御部（ＥＣＵ）５０と、一端４５ａが、ファン４３が格納されたファンシュラウド４２に接続され、他端４５ｂが充電インレット２０の周囲に延出して車両１０の外部に開口する通風管４５と、を車両１０に備える。
【００５１】
更に、実施装置の取っ手部６３は、充電コネクタ６１の外周面６１ｂとは離間して充電コネクタ６１を筒状に包囲している。これにより、取っ手部６３の内周面６３ｂと充電コネクタ６１の外周面６１ｂとの間に環状通路６３ｆが形成される。環状通路６３ｆの一端６３ｈは、充電コネクタ６１の充電インレット２０と接続する側において開口しており、環状通路６３ｆの他端（矩形の孔６５）は、充電コネクタ６１の充電インレット２０と接続する側とは反対側において開口している。従って、充電コネクタ６１が充電インレット２０に接続されたとき、通風管４５と環状通路６３ｆとが連通する。このとき、制御部（ＥＣＵ）５０がファン４３を回転させることにより、環状通路６３ｆの他端６５から環状通路６３ｆ内に外気が導入される。
【００５２】
このような二重管構造により、充電コネクタ及び充電インレット（端子部）の熱が直接取っ手部に伝導することを防止するとともに、充電時に外部から導入された空気が環状通路内を流れるので、取っ手部６３、充電コネクタ６１及び充電インレット２０が冷却される。従って、実施装置は、単位時間当たりの供給電力量が大きい急速充電時においても取っ手部６３の温度上昇を低くすることができる。更に、実施装置は、ファン４３がバッテリ３０の充電時にバッテリ３０を冷却するために作動することを利用しているだけであるので、消費電力を増加させることなく、取っ手部６３を冷却することができる。
【００５３】
＜変形例＞
本発明は上記実施形態に限定されることはなく、本発明の範囲内において種々の変形例を採用することができる。
【００５４】
上記実施形態において、取っ手部６３の端部６３ｇは６枚の壁６４により矩形の孔６５が開口する構造（プロペラ翼構造）を有していたが、プロペラ翼にあたる複数の壁の枚数、壁の取付け角度及び形状等は適宜変更されてもよい。
【００５５】
上記実施形態において、取っ手部６３の端部６３ｇはプロペラ翼構造を有していたが、単に円環状に開口している構造（以下、「全面開口構造」と称呼する。）を有していてもよい。
【００５６】
全面開口構造を有する装置（以下、「変形装置」と称呼する。）について、流体解析を行った結果が図９に示される。図９から理解されるように、環状通路６３ｆの内部に気流が発生し、気流が通風管４５に流れ込んでいる。プロペラ翼構造の実施装置と比較すると、流速は低く、環状通路６３ｆ内部における分布は不均一ではあるものの、一定以上の冷却効果があると言える。
【００５７】
上記実施形態においては、充電ケーブル６０は、電気ケーブル６２を冷却する冷却管は備えていなかったが、本発明に係る車両用バッテリの充電装置には、冷却管を備えた充電ケーブルが用いられてもよい。
【００５８】
上記実施形態において、充電インレット２０は、通風管４５を通過する気流によって冷却されるが、冷却管を備えた充電ケーブルが用いられる場合、この冷却管を流通する冷却水を利用して充電インレットを冷却してもよい。より具体的に述べると、この場合、充電ケーブルの冷却管は充電コネクタの先端まで延長され、充電インレット内部にも冷却管が備えられる。充電コネクタが充電インレットに挿入（接続）されたとき、充電コネクタの冷却管と充電インレットの冷却管とが接続するように構成される。この変形例によれば、冷却管を通過する冷媒（冷却水）を用いて充電インレットを冷却することができるので、取っ手部の温度上昇をより一層低減することができる。
【００５９】
上記実施形態において、充電インレットは通風管４５を流れる空気により冷却されていたが、図示しない車両のエアコンのエバポレータからの冷却風を用いて充電インレットを冷却してもよい。このように、充電インレットを冷却することにより、取っ手部の温度上昇を低下させることができる。なお、この変形例は、例えば、車室内を冷却するためにエアコンを作動させるときに有効であり、例えば、充電中にバッテリをエバポレータからの冷却風を用いて冷却する車両において有効である。
【００６０】
上記実施形態において、通風管４５はファンシュラウド４２に接続されていたが、通風管４５が接続される部位は、負圧が発生する部位（空調ダクト及び吸気管等）であってもよい。通風管が空調ダクトに接続される場合は充電時に空調（エアコン）を作動させればよく、通風管が吸気系に接続される場合は充電時に内燃機関を運転させればよい。
【００６１】
上記実施形態において、通風管４５はラジエータ２１のファンシュラウド４２に接続されていたが、エアコンのコンデンサ及びコンデンサのファンシュラウドを備える車両の場合、通風管４５はコンデンサのファンシュラウドに接続されてもよい。
【００６２】
上記実施形態において、車両１０は電動機３６及び内燃機関を備えたハイブリッド車両であったが、車両は電動機のみを備えた電気自動車であってもよい。この場合、通風管４５は、エアコンのコンデンサのファンシュラウドに接続されればよい。
【００６３】
上記実施形態の充電ケーブル及び充電インレットは、直流電力を供給するためのケーブル及びインレットであったが、交流電力を供給するための充電ケーブル及び充電インレットが用いられてもよい。この場合、供給された交流電力は、充電インレットから車両内の図示しない充電器に送られる。送られた電力は、充電器にて交流電力から直流電力に変換され、充電リレー及びシステムメインリレーを介してバッテリに供給される。
【００６４】
上記実施形態において充電インレット２０は車体１１の側面に備えられていたが、車体１１の前面及び背面等に備えられてもよい。
【００６５】
上記実施形態においてフィルタ６６は、矩形の孔６５にそれぞれ設けられていたが、環状通路６３ｆ内に一体的に設けられてもよい。
【符号の説明】
【００６６】
１０…車両、２０…充電インレット、３０…バッテリ、３６…電動機、４０…冷却機構、４３…ファン、４５…通風管、５０…電子制御装置（ＥＣＵ）、６０…充電ケーブル、６１…充電コネクタ、６１ｂ…充電コネクタの外周面、６２…電気ケーブル、６３…取っ手部、６３ａ…取っ手部の一端、６３ｂ…取っ手部の内周面、６３ｆ…環状通路、６３ｇ…取っ手部の他端の他端、６３ｈ…環状通路の一端。
【図１】
2019187141.tif 000003
【図２】
2019187141.tif 000004
【図３】
2019187141.tif 000005
【図４】
2019187141.tif 000006
【図５】
2019187141.tif 000007
【図６】
2019187141.tif 000008
【図７】
2019187141.tif 000009
【図８】
2019187141.tif 000010
【図９】
2019187141.tif 000011